(57)【要約】【課題】ライブビュー画像の表示中の撮影対象に対する視認性を確保しながら、撮影の補助に関する情報を効果的な場面でユーザに提示することができるようにする。【解決手段】撮像装置１は、被写体を連続的に撮像して画像を逐次出力する撮像手段と、前記撮像手段により逐次出力された画像に対応するライブビュー画像を表示手段に表示させる第１表示制御手段と、本撮像装置が所定の状態か否かを判定する状態判定手段と、前記状態判定手段により本撮像装置が所定の状態であると判定されると、撮像補助の第１情報を前記ライブビュー画像中に表示させる第２表示制御手段と、により構成される。【選択図】図１
2015180025.tif 000002
【特許請求の範囲】
【請求項１】
被写体を連続的に撮像して画像を逐次出力する撮像手段と、
前記撮像手段により逐次出力された画像に対応するライブビュー画像を表示手段に表示させる第１表示制御手段と、
本撮像装置が所定の状態か否かを判定する状態判定手段と、
前記状態判定手段により本撮像装置が所定の状態であると判定されると、撮像補助の第１情報を前記ライブビュー画像中に表示させる第２表示制御手段と、
を備えることを特徴とする撮像装置。
【請求項２】
シャッタボタンと、
前記撮像手段により出力される画像に合焦処理を行う合焦手段と、
を更に備え、
前記状態判定手段は、本撮像装置が前記シャッタボタンの半押し状態であるか否かを判定し、
前記第２表示制御手段は、前記状態判定手段により本撮像装置が前記シャッタボタンの半押し状態であると判定されると、合焦枠と当該合焦枠とは異なる前記撮像補助の第１情報とを前記ライブビュー画像中に表示させることを特徴とする請求項１に記載の撮像装置。
【請求項３】
前記状態判定手段は、前記所定の状態として三脚取付け状態であるか否かを判定することを特徴とする請求項１に記載の撮像装置。
【請求項４】
前記状態判定手段は、前記撮像手段の撮像範囲の状態が所定の状態であるか否かを判定することを特徴とする請求項１に記載の撮像装置。
【請求項５】
複数の第２情報を記憶する情報記憶手段と、
前記状態判定手段の判定結果に基づき、前記情報記憶手段に記憶された複数の前記第２情報から前記ライブビュー画像中に表示すべき情報を選択する情報選択手段と、
を更に備え、
前記第１表示制御手段は、
前記情報選択手段により選択された情報を当該ライブビュー画像とともに前記表示手段に表示させることを特徴とする請求項４に記載の撮像装置。
【請求項６】
本撮像装置の位置情報を取得する位置情報取得手段を更に備え、
前記状態判定手段は、本撮像装置の位置情報が所定の位置にあるか否かを判定することを特徴とする請求項１に記載の撮像装置。
【請求項７】
前記撮像補助の第１情報は、撮像のときに水平を保つための情報であることを特徴とする請求項１〜６のいずれか１項に記載の撮像装置。
【請求項８】
被写体を連続的に撮像して画像を逐次出力する撮像ステップと、
前記撮像ステップにより逐次出力された画像に対応するライブビュー画像を表示手段に表示させる第１表示制御ステップと、
本撮像装置が所定の状態か否かを判定する状態判定ステップと、
前記状態判定ステップにより本撮像装置が所定状態と判定されると、撮像補助の第１情報を前記ライブビュー画像中に表示させる第２表示制御ステップと、
を含むことを特徴とする表示制御方法。
【請求項９】
コンピュータを、
被写体を連続的に撮像して画像を順次出力する撮像機能と、
前記撮像機能により逐次出力された画像に対応するライブビュー画像を表示手段に表示させる第１表示制御機能と、
本撮像装置が所定の状態か否かを判定する状態判定機能と、
前記状態判定機能により本撮像装置が所定の状態と判定されると、撮像補助の第１情報を前記ライブビュー画像中に表示させる第２表示制御機能と、
を実現することを特徴とするプログラム。
【発明の詳細な説明】
【技術分野】
【０００１】
本発明は、撮像補助のための情報が表示される撮像装置、表示制御方法、及び撮像装置のプログラムに関する。
【背景技術】
【０００２】
例えば、特許文献１に、カメラのライブビュー表示中に、撮影モード、時刻、電池残量等の各種情報を表示部に表示させる技術が開示されている。
【先行技術文献】
【特許文献】
【０００３】
【特許文献１】特開２００１−１６９１５０号公報
【発明の概要】
【発明が解決しようとする課題】
【０００４】
しかしながら、特許文献１に開示された技術によれば、撮影に役立つ情報が多くなるにつれ、ライブビュー画像の内容自体が見づらくなってしまう虞がある。
【０００５】
本発明はかかる問題に鑑みてなされたものであり、ライブビュー画像の表示中の撮影対象に対する視認性を確保しながら、撮影の補助に関する情報を効果的な場面でユーザに提示することを目的とする。
【課題を解決するための手段】
【０００６】
本発明に係る第１の態様は、
被写体を連続的に撮像して画像を逐次出力する撮像手段と、
前記撮像手段により逐次出力された画像に対応するライブビュー画像を表示手段に表示させる第１表示制御手段と、
本撮像装置が所定の状態か否かを判定する状態判定手段と、
前記状態判定手段により本撮像装置が所定の状態であると判定されると、撮像補助の第１情報を前記ライブビュー画像中に表示させる第２表示制御手段と、を備えることを特徴とする撮像装置を提供する。
【０００７】
本発明に係る第２の態様は、
被写体を連続的に撮像して画像を逐次出力する撮像ステップと、
前記撮像ステップにより逐次出力された画像に対応するライブビュー画像を表示手段に表示させる第１表示制御ステップと、
本撮像装置が所定の状態か否かを判定する状態判定ステップと、
前記状態判定ステップにより本撮像装置が所定状態と判定されると、撮像補助の第１情報を前記ライブビュー画像中に表示させる第２表示制御ステップと、を含むことを特徴とする表示制御方法を提供する。
【０００８】
本発明に係る第３の態様は、
コンピュータを、
被写体を連続的に撮像して画像を順次出力する撮像機能と、
前記撮像機能により逐次出力された画像に対応するライブビュー画像を表示手段に表示させる第１表示制御機能と、
本撮像装置が所定の状態か否かを判定する状態判定機能と、
前記状態判定機能により本撮像装置が所定の状態と判定されると、撮像補助の第１情報を前記ライブビュー画像中に表示させる第２表示制御機能と、を実現することを特徴とするプログラムを提供する。
【発明の効果】
【０００９】
本発明によれば、ライブビュー画像の表示中の撮影対象に対する視認性を確保しながら、撮影の補助に関する情報を効果的な場面でユーザに提示できる。
【図面の簡単な説明】
【００１０】
【図１】本発明の実施の形態に係る撮像装置の構成を示すブロック図である。
【図２】本発明の実施の形態に係る撮像装置の動作を示すフローチャートである。
【図３】本発明の実施の形態に係る撮像装置の動作（図３の続き）を示すフローチャートである。
【図４】本発明の実施の形態に係る撮像装置の特定情報の表示設定の一例を示す図である。
【図５】本発明の実施の形態に係る撮像装置のライブビュー画像の表示の一例を示す図である。
【発明を実施するための形態】
【００１１】
（実施形態の構成）
図１に示すように、本実施形態に係る撮像装置１は、ＣＰＵ（Ｃｅｎｔｒａｌ Ｐｒｏｃｅｓｓｉｎｇ Ｕｎｉｔ）１１と、ＲＯＭ（Ｒｅａｄ Ｏｎｌｙ Ｍｅｍｏｒｙ）１２と、ＲＡＭ（Ｒａｎｄｏｍ Ａｃｃｅｓｓ Ｍｅｍｏｒｙ）１３と、画像処理部１４と、バス１５と、入出力インターフェース１６と、撮像部１７と、センサ部１８と、操作部１９と、表示部２０と、記憶部２１と、通信部２２と、ドライブ２３と、を備えている。
【００１２】
ＣＰＵ１１は、ＲＯＭ１２に記録されているプログラム、又は、記憶部２１からＲＡＭ１３にロードされたプログラムに従って各種の処理を実行する。ＲＡＭ１３には、ＣＰＵ１１が各種の処理を実行する上において必要なデータ等も適宜記憶される。
【００１３】
画像処理部１４は、ＤＳＰ（Ｄｉｇｉｔａｌ Ｓｉｇｎａｌ Ｐｒｏｃｅｓｓｏｒ）や、ＶＲＡＭ（Ｖｉｄｅｏ Ｒａｎｄｏｍ Ａｃｃｅｓｓ Ｍｅｍｏｒｙ）等から構成されており、ＣＰＵ１１と協働して動作し、後述するエッジ解析等、画像データに対して各種画像処理を施す。
【００１４】
ＣＰＵ１１、ＲＯＭ１２、ＲＡＭ１３及び画像処理部１４は、バス１５を介して相互に接続されている。このバス１５にはまた、入出力インターフェース１６も接続されている。入出力インターフェース１６には、撮像部１７、センサ部１８、操作部１９、表示部２０、記憶部２１、通信部２２及びドライブ２３が接続されている。
【００１５】
撮像部１７は、図示省略しているが、光学レンズと、イメージセンサと、を備えている。光学レンズは、被写体を撮像するために、光を集光するレンズ、例えばフォーカスレンズやズームレンズ等で構成される。フォーカスレンズは、イメージセンサの受光面に被写体像を結像させるレンズである。ズームレンズは、焦点距離を一定の範囲で自在に変化させるレンズである。光学レンズにはまた、必要に応じて、焦点、露出、ホワイトバランス等の設定パラメータを調整する周辺回路が設けられる。
【００１６】
イメージセンサは、光電変換素子や、ＡＦＥ（Ａｎａｌｏｇ Ｆｒｏｎｔ Ｅｎｄ）等から構成される。光電変換素子は、例えばＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１７の出力信号として出力される。
【００１７】
ここで、１回の撮像動作により、撮像部１７から出力される出力信号をフレーム画像と呼ぶ。即ち、連写動作とは複数回の撮像動作の繰り返しであることから、連写動作により、複数の撮像画像のデータが撮像部１７から出力される。本実施形態では、フレーム画像として、アスペクト比（横縦比）が４：３のノーマル画像が採用されている。
【００１８】
センサ部１８は、加速度センサ、ＧＰＳ（Ｇｌｏｂａｌ Ｐｏｓｉｔｉｏｎｉｎｇ Ｓｙｓｔｅｍ）センサ、あるいはオプションの装着を検知するセンサ等を含む。加速度センサは、撮像装置１の速度や加速度を検出可能に構成され、例えば、撮像装置１の水平状態を検出する水準器としての機能も実現する。また、ＧＰＳセンサは、ＧＰＳ衛星から得られる緯度経度の情報から撮像装置１の現在地を測位する。センサ部１８は、オプションとしての三脚の装着を検出する機能も有する。
【００１９】
操作部１９は、押しボタン式のキーとして、ライブビュー画像を表示するモード、撮影画像を再生するモード等を切り替えるモード変更キー、録画開始を指示するシャッターキー、露出やシャッタースピード等の撮影条件の設定操作などを行うための各種のキーを備え、ＣＰＵ１１は、この操作部１９から操作キーに対応して出力される入力操作信号に応じて、録画処理、撮影条件の設定処理、再生処理等の処理を行う。また、ＣＰＵ１１は、シャッタボタンが半押し状態か否かを検出する。
【００２０】
表示部２０は、例えば、縦横比（横４：縦３）の異なる画面を有した高精細液晶ディスプレイあるいは有機ＥＬ（ＯＬＥＤ）ディスプレイで、ライブビュー画像を表示する画面になったり、撮影画像を録画する画面になったりする。なお、表示部２０は、表示パネル上にタッチパネルが積層配設された構成でもよい。この場合、タッチパネルは、撮影者の指等でタッチ操作された位置を検知してその座標データを入力するタッチスクリーンを構成し、例えば、静電容量方式、あるいは抵抗膜方式を採用しているが、その他の方式でもよい。
【００２１】
記憶部２１は、ハードディスク或いはＤＲＡＭ（Ｄｙｎａｍｉｃ Ｒａｎｄｏｍ Ａｃｃｅｓｓ Ｍｅｍｏｒｙ）等で構成され、各種画像のデータや撮影補助の情報等を記憶する。通信部２２は、インターネットを含むネットワークを介して他の装置（図示せず）との間で行う通信を制御する。
【００２２】
ドライブ２３には、磁気ディスク、光ディスク、光磁気ディスク、或いは半導体メモリ等よりなる、リムーバブルメディア３１が適宜装着される。ドライブ２３によってリムーバブルメディア３１から読み出されたプログラムは、必要に応じて記憶部２１にインストールされる。また、リムーバブルメディア３１は、記憶部２１に記憶されている画像のデータ等の各種データも、記憶部２１と同様に記憶することができる。
【００２３】
上記した撮像装置１において、ＣＰＵ１１は、撮像部１７が被写体を連続的に撮像して連続的な画像を取得し、当該連続的な画像に対応するライブビュー画像を表示部２０に表示させ、例えば、シャッタボタン半押し又は三脚取付け状態、ライブビュー画像のエッジ検出状態、ＧＰＳによる検出位置状態等、所定状態か否かを判定し、所定状態に判定されると、少なくとも前記被写体に注目した情報である合焦枠以外の撮像補助の第１の情報や第２情報を表示部２０に表示、つまり、ライブビュー画像中にその第１情報や第２情報を表示する。このため、ＣＰＵ１１は、所定状態か否かを判定する状態判定手段として、また、撮像部１７から取得した連続的な画像に対応するライブビュー画像及び所定状態と判別された時に第２情報を表示部２０に表示させる第１表示制御手段として、更に、所定の状態に判定された時に、少なくとも合焦枠以外の撮像補助の第１情報を表示部２０に表示させ、ライブビュー画像中に第１情報を表示する第２表示制御手段として、それぞれ機能する。詳細は後述する。
【００２４】
（実施形態の動作）
以下、図１に示す本実施形態に係る撮像装置１の動作について、図２以降を参照しながら詳細に説明する。
【００２５】
図３にフローチャートで示す記録処理を開始するにあたり、ＣＰＵ１１は、まず、撮像部１７で撮像したライブビュー画像を表示部２０に表示する（ステップＳ１０１）。続いてＣＰＵ１１は、画像処理部１４での画像解析によりライブビュー画像中のエッジ検出を行ない（ステップＳ１０２）、所定値以上のエッジ量の有無により撮像範囲内の撮影環境（撮影オブジェクトの混み状況等）を判定する（ステップＳ１０３）。ここで、所定値以上のエッジ量あり、つまり、所定の状態と判定されると（ステップＳ１０３“ＹＥＳ”）、ＣＰＵ１１は、特定情報の表示設定が有効（ＯＮ）になっているか否かを判定する（ステップＳ１０４）。
【００２６】
ここで、特定情報とは、日付、時間、撮影可能枚数、電池残量等の通常の情報のうち設定により所定状態の場合に表示が許可されている情報のことをいう。つまり、特定情報の表示は、このような通常、記憶部に記憶されている複数の情報からライブビュー画像中に表示すべき情報を選択する情報選択手段を構成する。この特定情報の表示設定は、デフォルトで設定されるか、またはユーザが操作部１９を操作することにより撮影前の任意のタイミングで設定され、ＣＰＵ１１により取り込まれる。
【００２７】
ステップＳ１０３で所定値以上のエッジ量が検出され、所定状態である場合（ステップＳ１０３“ＹＥＳ”）、ステップＳ１０４で特定情報の表示設定が有効（ＯＮ）になっていれば（ステップＳ１０４“ＹＥＳ”）、通常の情報の表示が撮影の邪魔になる可能性があるため、ＣＰＵ１１は、例えば、特定情報の表示設定で電池残量のみの表示が許可されている場合、情報として電池残量のみをライブビュー画面に表示する（ステップＳ１０５）。つまり、撮像環境状態（例えば、撮影範囲の状態）が所定状態と判定されると、ライブビュー画像中に表示すべき情報として電池残量のみを選択して表示する。一方、ステップＳ１０３で所定値以上のエッジ量が検出されなかった場合（ステップＳ１０３“ＮＯ”）、あるいは、特定情報の表示設定が無効（ＯＦＦ）になっていれば（ステップＳ１０４“ＮＯ”）、ＣＰＵ１１は、例えば、日付、時間、電池残量等を含む通常の情報の表示をライブビュー画像に表示する（ステップＳ１０６）。
【００２８】
続いて、ＣＰＵ１１は、センサ部１８から出力されるＧＰＳの位置情報を基に、現在地が所定位置か否かを判定する（ステップＳ１０７）。ここで、所定位置にいることが確認されると、つまり、撮像環境状態が所定の状態と判定されると（ステップＳ１０７“ＹＥＳ”）、ＣＰＵ１１は、位置表示設定が有効になっているか否かを判定する（ステップＳ１０８）。ここで、位置表示設定が有効になっていれば（ステップＳ１０８“ＹＥＳ”）、ＣＰＵ１１は、ライブビュー画像中に、ＧＰＳから取得され、記憶部（情報記憶手段）に一時記憶される緯度、経度等の位置情報を選択して表示する（ステップＳ１０９）。つまり、位置表示設定は、情報記憶手段に記憶されている情報からライブビュー画像中に表示すべき情報を選択する情報選択手段を構成する。これは、例えば、山や森等に出かけた時、風景を撮影しようとした場合に有効である。
【００２９】
続いて、図４に示すフローチャートにおいて、ＣＰＵ１１は、撮影補助の情報である水準器の表示設定が有効になっているか否かを判定する（ステップＳ１１０）。
【００３０】
ステップＳ１１０で水準器の設定が有効になっていれば（ステップＳ１１０“ＹＥＳ”）、ＣＰＵ１１は、ライブビュー画像の表示中に水準器を表示する（ステップＳ１１１）。
一方、水準器の表示設定が無効である場合（ステップＳ１１０“ＮＯ”）、ＣＰＵ１１は、ライブビュー画像の表示中に水準器を表示しない。
前述の水準器の表示設定とは別の水準器の設定について図２に表形式で示す。図２は、横方向に、ライブビュー画像表示時、ハーフロック時（シャッタボタン半押し時）、ムービー撮影時のときの表示の有効（ＯＮ）／無効（ＯＦＦ）を○／×形式で示している。図２に示す例では、ライブビュー画像の表示時及びムービー撮影時は、水準器の表示を無効とし、シャッタボタン半押しの場合は水準器を有効にする例が示されている。
なお、三脚取付け状態でも水準器の表示設定は有効であるものとする。
図４に戻って、シャッタボタンが半押し状態になっているか否か、またはセンサ部１８から出力される信号により三脚が取付け状態にあるか否かを判定する（ステップＳ１１２）。
そして、シャッタボタン半押し又は三脚取付け状態にあるという所定の状態と判定されれば（ステップＳ１１２で“ＹＥＳ”）、ステップＳ１１０で“ＮＯ”で表示されない場合でもＣＰＵ１１は、ライブビュー画像の表示中に水準器と合焦枠とを撮影の補助情報として表示する（ステップＳ１１３）。
【００３１】
この状態でユーザは、水準器が水平になるようにフレーミング調整を行い、それと並行してＣＰＵ１１は、撮像部１７を制御してＡＥ（自動露出），ＡＷＢ（自動ホワイトバランス），ＡＦ（自動焦点）処理を実行（ステップＳ１１４）し、画像の記録指示（シャッタボタンの全押し）の有無を判定する（ステップＳ１１５）。記録指示があれば（ステップＳ１１５で“ＹＥＳ”）、ＣＰＵ１１は、記憶部２１の作業領域に画像を記録する処理を実行する（ステップＳ１１６）。以上の処理を終了指示があるまで繰り返し実行し、処理の終了指示があると（ステップＳ１１７“ＹＥＳ”）、上記した一連の記録処理を終了する。
【００３２】
図５（ａ）は、上記で説明したステップＳ１１０“ＮＯ”で水準器が表示されていないシャッタボタン半押し前のライブビュー画像の表示の状態が示されている。つまり、半押し前のライブビュー画像の表示中では撮影補助の情報である水準器の表示が撮影の邪魔になるため、水準器を表示しない設定とされている。これに対し、ユーザがシャッタボタンを半押し状態とし、所定の状態と判定されると、図５（ｂ）に示すように、ライブビュー画像に水準器と合焦枠とが重畳表示される様子が示されている。
【００３３】
（実施形態の効果）
以上説明のように、本実施形態に係る撮像装置１によれば、ＣＰＵ１１は、撮像部１７が被写体を連続的に撮像して順次撮像した連続的な画像を取得し、連続的な画像に対応するライブビュー画像を表示部２０に表示させる。例えば、ＣＰＵ１１は、シャッタボタン半押し又は三脚取付け状態、ライブビュー画像のエッジ検出状態、ＧＰＳによる検出位置状態等、所定の状態か否かを判定する。そして、所定の状態であると判定されると、少なくとも合焦枠以外の撮像補助となる水準器等の情報（第１情報）や特定情報（第２情報）、位置情報等の情報を表示部２０に表示する。このように所定の状態か否かを判定することによって、ライブビュー画像の視認性を確保するように情報を非表示としたり、非表示としている情報を効果的な場面でユーザに提示したりすることができる。
【００３４】
（変形例）
上記実施形態では、撮影補助の情報の設定として水準器について設定としたが、これに限られない。つまり、例えば、輝度とピクセル数に関するヒストグラムの表示の設定について加えても良い。
また、図４のＳ１１２でＹＥＳの場合、Ｓ１１３において水準器及び合焦枠を表示することにしたが、これに限らない。つまり、例えば、Ｓ１０５においてライブビュー画像中に表示されなかった情報を、水準器の情報に代え若しくは水準器の情報とともにＳ１１２でＹＥＳの場合にライブビュー画像とともに表示させるようにしても良い。
また、図４のＳ１０７−Ｓ１０９の処理では、現在位置が所定位置と判定され、位置表示設定がＯＮであると判定されると、ライブビュー画像中に位置情報を表示するようにしたが、これに限られない。つまり、センサ部１８から出力されるＧＰＳの位置情報が山や森等の位置を示している場合、Ｓ１１３のようにライブビュー画像中に水準器等の撮影補助の情報を表示するようにしても良い。
【００３５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またそのような変更または改良を加えた形態も本発明の技術的範囲に含まれ得ることが、特許請求の範囲の記載から明らかである。
【００３６】
以下に、この出願の願書に最初に添付した特許請求の範囲に記載した発明を付記する。付記に記載した請求項の項番は、この出願の願書に最初に添付した特許請求の範囲の通りである。
【００３７】
〔付記〕
［請求項１］
被写体を連続的に撮像して画像を逐次出力する撮像手段と、
前記撮像手段により逐次出力された画像に対応するライブビュー画像を表示手段に表示させる第１表示制御手段と、
本撮像装置が所定の状態か否かを判定する状態判定手段と、
前記状態判定手段により本撮像装置が所定の状態であると判定されると、撮像補助の第１情報を前記ライブビュー画像中に表示させる第２表示制御手段と、
を備えることを特徴とする撮像装置。
［請求項２］
シャッタボタンと、
前記撮像手段により出力される画像に合焦処理を行う合焦手段と、
を更に備え、
前記状態判定手段は、本撮像装置が前記シャッタボタンの半押し状態であるか否かを判定し、
前記第２表示制御手段は、前記状態判定手段により本撮像装置が前記シャッタボタンの半押し状態であると判定されると、合焦枠と当該合焦枠とは異なる前記撮像補助の第１情報とを前記ライブビュー画像中に表示させることを特徴とする請求項１に記載の撮像装置。
［請求項３］
前記状態判定手段は、前記所定の状態として三脚取付け状態であるか否かを判定することを特徴とする請求項１に記載の撮像装置。
［請求項４］
前記状態判定手段は、前記撮像手段の撮像範囲の状態が所定の状態であるか否かを判定することを特徴とする請求項１に記載の撮像装置。
［請求項５］
複数の第２情報を記憶する情報記憶手段と、
前記状態判定手段の判定結果に基づき、前記情報記憶手段に記憶された複数の前記第２情報から前記ライブビュー画像中に表示すべき情報を選択する情報選択手段と、
を更に備え、
前記第１表示制御手段は、
前記情報選択手段により選択された情報を当該ライブビュー画像とともに前記表示手段に表示させることを特徴とする請求項４に記載の撮像装置。
［請求項６］
本撮像装置の位置情報を取得する位置情報取得手段を更に備え、
前記状態判定手段は、本撮像装置の位置情報が所定の位置にあるか否かを判定することを特徴とする請求項１に記載の撮像装置。
［請求項７］
前記撮像補助の第１情報は、撮像のときに水平を保つための情報であることを特徴とする請求項１〜６のいずれか１項に記載の撮像装置。
［請求項８］
被写体を連続的に撮像して画像を逐次出力する撮像ステップと、
前記撮像ステップにより逐次出力された画像に対応するライブビュー画像を表示手段に表示させる第１表示制御ステップと、
本撮像装置が所定の状態か否かを判定する状態判定ステップと、
前記状態判定ステップにより本撮像装置が所定状態と判定されると、撮像補助の第１情報を前記ライブビュー画像中に表示させる第２表示制御ステップと、
を含むことを特徴とする表示制御方法。
［請求項９］
コンピュータを、
被写体を連続的に撮像して画像を順次出力する撮像機能と、
前記撮像機能により逐次出力された画像に対応するライブビュー画像を表示手段に表示させる第１表示制御機能と、
本撮像装置が所定の状態か否かを判定する状態判定機能と、
前記状態判定機能により本撮像装置が所定の状態と判定されると、撮像補助の第１情報を前記ライブビュー画像中に表示させる第２表示制御機能と、
を実現することを特徴とするプログラム。
【符号の説明】
【００３８】
１…撮像装置、１１…ＣＰＵ、１２…ＲＯＭ、１３…ＲＡＭ、１４…画像処理部、１５…バス、１６…入出力インターフェース、１７…撮像部、１８…センサ部、１９…操作部、２０…表示部、２１…記憶部、２２…通信部、２３…ドライブ
【図１】
2015180025.tif 000003
【図２】
2015180025.tif 000004
【図３】
2015180025.tif 000005
【図４】
2015180025.tif 000006
【図５】
2015180025.tif 000007